【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着であって、
前記前身頃と前記後身頃の形状が異なっており、
前記弾性部材は、糸ゴムであり、
前記前身頃に設けられた前記糸ゴムの数より、前記後身頃に設けられた前記糸ゴムの数が多いことを特徴とする乳幼児用上半身部分の使い捨て水着。
【請求項２】
請求項１の乳幼児用上半身部分の使い捨て水着であって、
前記弾性部材を伸長させた状態において、
前記前身頃の面積は、前記後身頃の面積よりも大きいことを特徴とする乳幼児用上半身部分の使い捨て水着。
【請求項３】
請求項１又は２に記載の乳幼児用上半身部分の使い捨て水着であって、
前記弾性部材を伸長させた状態において、
前記上下方向において、前記前身頃の最も長い部分の長さは、前記後身頃の最も長い部分の長さよりも長いことを特徴とする乳幼児用上半身部分の使い捨て水着。
【請求項４】
請求項３に記載の乳幼児用上半身部分の使い捨て水着であって、
前記上下方向において、
前記前身頃の下端と前記後身頃の下端は同じ位置であり、
前記前身頃の最も上側に位置する前身頃最上端は、前記後身頃の最も上側に位置する後身頃最上端よりも上側に位置することを特徴とする乳幼児用上半身部分の使い捨て水着。
【請求項５】
請求項１から４のいずれか１項に記載の乳幼児用上半身部分の使い捨て水着であって、
前記弾性部材を伸長させた状態において、
前記前身頃の前記左右方向の一方から他方までの上端の形状は、前記後身頃の前記一方から前記他方までの上端の形状と異なっていることを特徴とする乳幼児用上半身部分の使い捨て水着。
【請求項６】
請求項５に記載の乳幼児用上半身部分の使い捨て水着であって、
前記前身頃の前記左右方向の中央における上端と前記前身頃の最も上側に位置する前身頃最上端との前記上下方向の長さは、前記後身頃の前記左右方向の中央における上端と前記後身頃の最も上側に位置する後身頃最上端との前記上下方向の長さよりも長いことを特徴とする乳幼児用上半身部分の使い捨て水着。
【請求項７】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着であって、
前記前身頃と前記後身頃の形状が異なっており、
前記弾性部材は、前記後身頃に設けられており、前記前身頃には設けられていない
ことを特徴とする乳幼児用上半身部分の使い捨て水着。
【請求項８】
請求項１から７のいずれか１項に記載の乳幼児用上半身部分の使い捨て水着であって、
前記前身頃と前記後身頃は、一対の接合部で接合されており、
前記乳幼児用上半身部分の使い捨て水着の自然状態において、一対の前記接合部は、前記乳幼児用上半身部分の使い捨て水着の後側に設けられていることを特徴とする乳幼児用上半身部分の使い捨て水着。
【請求項９】
請求項１から７のいずれか１項に記載の乳幼児用上半身部分の使い捨て水着であって、
前記前身頃と前記後身頃は、１つの接合部で接合されており、
前記乳幼児用上半身部分の使い捨て水着の自然状態において、前記接合部は、前記乳幼児用上半身部分の使い捨て水着の後側の前記左右方向の中央部に設けられていることを特徴とする乳幼児用上半身部分の使い捨て水着。
【請求項１０】
請求項８又は９に記載の乳幼児用上半身部分の使い捨て水着であって、
前記前身頃の前記左右方向の中央部は、下側に窪んだ窪み部を有しており、
前記窪み部の最も下側に位置する窪み部最下端が、前記接合部の上端よりも上側に位置することを特徴とする乳幼児用上半身部分の使い捨て水着。
【請求項１１】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着であって、
前記前身頃と前記後身頃の形状が異なっており、
前記左右方向の一方側及び他方側にそれぞれ前記上下方向に伸縮する肩紐弾性部材を備えた肩紐を有しており、
前記肩紐の端部は、それぞれ前記前身頃と前記後身頃に固定されており、
前記肩紐弾性部材の少なくとも一部は、前記弾性部材と前記前後方向に重なっていることを特徴とする乳幼児用上半身部分の使い捨て水着。
【請求項１２】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着であって、
前記前身頃と前記後身頃の形状が異なっており、
襞を備えたフリルを有しており、
前記襞の数は、前記乳幼児用上半身部分の使い捨て水着の前側と後側とで異なっていることを特徴とする乳幼児用上半身部分の使い捨て水着。
【請求項１３】
請求項１２に記載の乳幼児用上半身部分の使い捨て水着であって、
前記襞の数は、前記前側の方が前記後側よりも多いことを特徴とする乳幼児用上半身部分の使い捨て水着。
【請求項１４】
請求項１２又は１３に記載の乳幼児用上半身部分の使い捨て水着であって、
前記前側には、複数の前記襞を設け、
前記後側には、前記襞を設けないことを特徴とする乳幼児用上半身部分の使い捨て水着。
【請求項１５】
請求項１から１４のいずれか１項に記載の乳幼児用上半身部分の使い捨て水着と、
吸収性本体、一対の胴回り部、胴回り開口部、及び一対の脚回り開口部を有する乳幼児用下半身部分の使い捨て水着と
を備えた使い捨て水着のセット。
【請求項１６】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着の製造方法であって、
前記前身頃と前記後身頃を異なる形状に形成し、
前記弾性部材として、糸ゴムを用い、
前記前身頃に設けられた前記糸ゴムの数より、前記後身頃に設けられた前記糸ゴムの数を多くすることを特徴とする乳幼児用上半身部分の使い捨て水着の製造方法。
【請求項１７】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着の製造方法であって、
前記前身頃と前記後身頃を異なる形状に形成し、
前記弾性部材を、前記後身頃に設け、前記前身頃には設けないことを特徴とする乳幼児用上半身部分の使い捨て水着の製造方法。
【請求項１８】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着の製造方法であって、
前記前身頃と前記後身頃を異なる形状に形成し、
前記左右方向の一方側及び他方側にそれぞれ前記上下方向に伸縮する肩紐弾性部材を備えた肩紐を形成し、
前記肩紐の端部を、それぞれ前記前身頃と前記後身頃に固定し、
前記肩紐弾性部材の少なくとも一部を、前記弾性部材と前記前後方向に重ねることを特徴とする乳幼児用上半身部分の使い捨て水着の製造方法。
【請求項１９】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着の製造方法であって、
前記前身頃と前記後身頃を異なる形状に形成し、
襞を備えたフリルを形成し、
前記襞の数を、前記乳幼児用上半身部分の使い捨て水着の前側と後側とで異ならせることを特徴とする乳幼児用上半身部分の使い捨て水着。
【手続補正２】
【補正対象書類名】明細書
【補正対象項目名】０００６
【補正方法】変更
【補正の内容】
【０００６】
上記目的を達成するための主たる発明は、上下方向と、左右方向と、前記上下方向及び前記左右方向と直交する前後方向と、着用時において乳幼児の前面に位置する前身頃、及び背面に位置する後身頃と、前記左右方向に伸縮する弾性部材を備えた乳幼児用上半身部分の使い捨て水着であって、前記前身頃と前記後身頃の形状が異なっており、前記弾性部材は、糸ゴムであり、前記前身頃に設けられた前記糸ゴムの数より、前記後身頃に設けられた前記糸ゴムの数が多いことを特徴とする乳幼児用上半身部分の使い捨て水着である。
本発明の他の特徴については、本明細書及び添付図面の記載により明らかにする。